【手続補正書】
【提出日】令和3年8月11日(2021.8.11)
【手続補正１】
【補正対象書類名】特許請求の範囲
【補正対象項目名】全文
【補正方法】変更
【補正の内容】
【特許請求の範囲】
【請求項１】
第１周波数を有する無線周波（ＲＦ）電磁（ＥＭ）放射をＲＦチャネルから受信するように接続可能な第１の入力、前記第１周波数よりも高い第２周波数を有するマイクロ波ＥＭ放射をマイクロ波チャネルから受信するように接続可能な第２の入力、及び前記ＲＦ  ＥＭ放射と前記マイクロ波ＥＭ放射を共通信号経路に伝送するための前記第１の入力及び前記第２の入力と通信する出力を有する結合回路と、
前記マイクロ波チャネルを前記ＲＦ  ＥＭ放射から分離するために接続された導波路アイソレータと、
を備えるアイソレータ・ダイプレクサ複合型デバイスであって、
前記導波路アイソレータは、
導電性入力部と、
導電性出力部と、
前記入力部と嵌合する第１の端部、及び前記出力部と嵌合する第２の端部を有する導電性中間部と、
前記入力部と前記中間部との間に配置された第１のＤＣ絶縁バリアと、
前記中間部と前記出力部との間に配置された第２のＤＣ絶縁バリアと、を備え
前記入力部、前記中間部、及び前記出力部は共に導波路空洞を囲み、
前記結合回路からの前記出力は、信号導体と接地導体を含み、
前記第１のＤＣ絶縁バリア及び前記第２のＤＣ絶縁バリアは、前記結合回路からの前記出力の前記接地導体と前記導波路アイソレータの前記導電性入力部との間に一対の直列接続容量性構造をもたらし、
前記容量性構造は、ＲＦ  ＥＭエネルギーの結合とマイクロ波ＥＭエネルギーの漏出を抑制するように配置される、
前記アイソレータ・ダイプレクサ複合型デバイス。
【請求項２】
前記入力部、前記中間部及び前記出力部が、長手方向に沿って順に配置され、
前記中間部は、前記第１のＤＣ絶縁バリアにおいて前記長手方向の前記入力部と重なり、
前記中間部は、前記第２のＤＣ絶縁バリアにおいて前記長手方向の前記出力部と重なる、
請求項１に記載のアイソレータ・ダイプレクサ複合型デバイス。
【請求項３】
共通信号経路に接続された前記出力には、前記導波路アイソレータの前記出力部に取り付けられた出力プローブが含まれ、
前記出力プローブは、前記導波路アイソレータに延びてそこから前記マイクロ波ＥＭエネルギーを結合する第１結合導体を有し、
前記第２の入力は、前記導波路アイソレータの前記入力部に取り付けられた入力プローブを含み、
前記入力プローブは、前記マイクロ波ＥＭエネルギーを前記空洞に結合するために前記導波路アイソレータ内に延びる第２の結合導体を有し、
前記第１の結合導体及び前記第２の結合導体は、前記長手方向に直交する方向に延びる、
請求項２に記載のアイソレータ・ダイプレクサ複合型デバイス。
【請求項４】
前記第１の結合導体と前記第２の結合導体は、反対方向から前記導波路空洞内に延びている、請求項３に記載のアイソレータ・ダイプレクサ複合型デバイス。
【請求項５】
前記第１の入力は、前記導波路アイソレータに取り付けられたＲＦコネクタを含み、
前記ＲＦコネクタは、前記導波路空洞内に延びて前記出力プローブの前記結合導体に電気的に接触する信号導体を有し、
前記信号導体は、前記長手方向に延び、
前記信号導体は、前記導波路アイソレータ内の前記マイクロ波ＥＭエネルギーの等電位と実質的に位置合わせするように配置される、
請求項３または４に記載のアイソレータ・ダイプレクサ複合型デバイス。
【請求項６】
前記ＲＦコネクタが、前記出力部に接続され、前記ＲＦコネクタの前記信号導体を介して前記マイクロ波ＥＭエネルギーが前記導波路アイソレータから漏出するのを阻止するように構成された同軸フィルタを備える、請求項５に記載のアイソレータ・ダイプレクサ複合型デバイス。
【請求項７】
前記同軸フィルタが２つのセクションのリエントラント型同軸フィルタを含む、請求項５に記載のアイソレータ・ダイプレクサ複合型デバイス。
【請求項８】
前記導波路アイソレータが、前記長手方向に沿って前記導波路空洞に調整可能に挿入可能な複数の同調スタブを備える、請求項２〜７のいずれか一項に記載のアイソレータ・ダイプレクサ複合型デバイス。
【請求項９】
前記複数の調整スタブが、前記入力部の長手方向の端面を通して挿入可能な第１の調整スタブと、前記出力部の長手方向の端面を通して挿入可能な第２の調整スタブとを含む、請求項８に記載のアイソレータ・ダイプレクサ複合型デバイス。
【請求項１０】
前記第１のＤＣ絶縁バリアにおいて前記入力部と前記中間部との間に配置された絶縁層を含む、請求項１〜９のいずれか１項に記載のアイソレータ・ダイプレクサ複合型デバイス。
【請求項１１】
前記第２のＤＣ絶縁バリアにおいて前記出力部と前記中間部との間に配置された絶縁層を含む、請求項１〜１０のいずれか１項に記載のアイソレータ・ダイプレクサ複合型デバイス。
【請求項１２】
前記導波路空洞が円筒形である、請求項１〜１１のいずれか１項に記載のアイソレータ・ダイプレクサ複合型デバイス。
【請求項１３】
生体組織の切除のための電気外科装置であって、
第１の周波数を有するＲＦ電磁（ＥＭ）放射を生成する無線周波数（ＲＦ）信号発生器と、
前記第１の周波数よりも高い第２の周波数を有するマイクロ波ＥＭ放射を生成するマイクロ波信号発生器と、
前記ＲＦ  ＥＭ放射及び前記マイクロ波ＥＭ放射をその遠位端から別々にまたは同時に送出するように構成されたプローブと、
前記ＲＦ  ＥＭ放射と前記マイクロ波ＥＭ放射を前記プローブに伝送するための給電構造であって、前記プローブを前記ＲＦ信号発生器に接続するＲＦチャネルと、前記プローブを前記マイクロ波信号発生器に接続するマイクロ波チャネルとを備える前記給電構造と、
を備え、
前記ＲＦチャネルと前記マイクロ波チャネルは、それぞれ前記ＲＦ信号発生器と前記マイクロ波信号発生器から物理的に分離した信号経路を備え、
前記給電構造は、アイソレータ・ダイプレクサデバイスであって、
前記ＲＦチャネルから前記ＲＦ  ＥＭ放射を受信するように接続された第１の入力、前記マイクロ波チャネルから前記マイクロ波ＥＭ放射を受信するように接続された第２の入力、及び前記ＲＦ  ＥＭ放射及び前記マイクロ波ＥＭ放射を共通信号経路に沿って前記プローブへ伝送する前記第１の入力及び前記第２の入力と通信する出力を有する結合回路と、
前記マイクロ波チャネルを前記ＲＦ  ＥＭ放射から分離するように接続された導波路アイソレータであって、
導電性入力部と、
導電性出力部と、
前記入力部と嵌合する第１の端部、及び前記出力部と嵌合する第２の端部を有する導電性中間部と、
前記入力部と前記中間部との間に配置された第１のＤＣ絶縁バリアと、
前記中間部と前記出力部との間に配置された第２のＤＣ絶縁バリアと、
を含む、前記導波路アイソレータと、
を備える、前記アイソレータ・ダイプレクサデバイスを含み、
前記入力部、前記中間部、及び前記出力部は共に導波路空洞を囲み、
前記結合回路からの前記出力は、信号導体と接地導体を含み、
前記第１のＤＣ絶縁バリア及び前記第２のＤＣ絶縁バリアは、前記結合回路からの前記出力の前記接地導体と、前記導波路アイソレータの前記導電性入力部との間に、一対の直列接続の容量性構造をもたらし、
前記容量性構造はＲＦ  ＥＭエネルギーの結合及びマイクロ波ＥＭエネルギーの漏出を抑制するように構成される、
前記電気外科装置。
【請求項１４】
前記アイソレータ・ダイプレクサデバイスが請求項２〜１２のいずれか一項に記載のアイソレータ・ダイプレクサ複合型デバイスである、請求項１３に記載の電気外科装置。
【手続補正２】
【補正対象書類名】図面
【補正対象項目名】図７
【補正方法】変更
【補正の内容】
【図７】
2020531065.tif 000001